(57)【要約】【課題】ＦＥＴドライバ回路における無駄な電力消費や発熱をなくす。【解決手段】超音波振動子Ｅの駆動電圧ＶＨが比較的高い（例えば１２Ｖ）駆動モードのときは、ＦＥＴドライバ回路１３の動作電圧ＶＤを比較的高くする（例えば１０Ｖ）。超音波振動子Ｅの駆動電圧ＶＨが比較的低い（例えば９Ｖ）駆動モードのときは、ＦＥＴドライバ回路１３の動作電圧ＶＤを比較的低くする（例えば８Ｖ）。【効果】ＦＥＴドライバ回路１３における無駄な電力消費や発熱をなくすことが出来る。【選択図】  図１
2004358133.tif 000002
【特許請求の範囲】
【請求項１】
電界効果トランジスタを用いて駆動電圧を超音波振動子に印加する終段回路と、前記電界効果トランジスタをドライブするＦＥＴドライバ回路と、超音波振動子の駆動モードに応じて少なくとも２種類の動作電圧を切り換えて前記ＦＥＴドライバ回路に供給する動作電圧供給回路とを具備したことを特徴とする超音波振動子駆動回路。
【請求項２】
請求項１に記載の超音波振動子駆動回路において、前記動作電圧供給回路は、第１の駆動電圧を超音波振動子に印加する駆動モードのときは第１の動作電圧を供給し、前記第１の駆動電圧より低い第２の駆動電圧を超音波振動子に印加する駆動モードのときは前記第１の動作電圧より小さい第２の動作電圧を供給することを特徴とする超音波振動子駆動回路。
【請求項３】
請求項１に記載の超音波振動子駆動回路において、前記動作電圧供給回路は、パルスドプラにかかる駆動モードのときは第１の動作電圧を供給し、連続波ドプラにかかる駆動モードのときは前記第１の動作電圧より小さい第２の動作電圧を供給することを特徴とする超音波振動子駆動回路。
【請求項４】
請求項１に記載の超音波振動子駆動回路において、前記動作電圧供給回路は、第１のパルス繰返し周波数を用いた駆動モードのときは第１の動作電圧を供給し、前記第１のパルス繰返し周波数より高い第２のパルス繰返し周波数を用いた駆動モードのときは前記第１の動作電圧より小さい第２の動作電圧を供給することを特徴とする超音波振動子駆動回路。
【請求項５】
請求項１に記載の超音波振動子駆動回路において、前記動作電圧供給回路は、第１のバースト数を用いた駆動モードのときは第１の動作電圧を供給し、前記第１のバースト数より多い第２のバースト数を用いた駆動モードのときは前記第１の動作電圧より小さい第２の動作電圧を供給することを特徴とする超音波振動子駆動回路。
【請求項６】
請求項１から請求項５のいずれかに記載の超音波振動子駆動回路において、前記動作電圧供給回路は、プログラマブル電源であることを特徴とする超音波振動子駆動回路。
【請求項７】
請求項１から請求項６のいずれかに記載の超音波振動子駆動回路において、前記動作電圧供給回路は、超音波の送信タイミングに同期したクロックでスイッチング動作するスイッチング電源であることを特徴とする超音波振動子駆動回路。
【請求項８】
超音波探触子と、請求項１から請求項７のいずれかに記載の超音波振動子駆動回路と、超音波探触子の駆動モードを操作者が直接的または間接的に設定するための入力操作手段と、前記超音波探触子でエコー信号を受信し音線信号を出力する受信回路と、前記音線信号を基に超音波画像を生成する画像生成手段と、前記超音波画像を表示する表示手段とを具備したことを特徴とする超音波診断装置。
【発明の詳細な説明】
【０００１】
【発明の属する技術分野】
本発明は、超音波振動子駆動回路および超音波診断装置に関し、さらに詳しくは、無駄な電力消費や発熱をなくすことが出来る超音波振動子駆動回路および超音波診断装置に関する。
【０００２】
【従来の技術】
従来、電界効果トランジスタを用いて駆動電圧を超音波振動子に印加する終段回路と、電界効果トランジスタをドライブするＦＥＴ（Ｆｉｅｌｄ  Ｅｆｆｅｃｔ  Ｔｒａｎｓｉｓｔｏｒ）ドライバ回路とを具備した超音波振動子駆動回路が知られている（例えば、特許文献１参照。）。
【０００３】
【特許文献１】
特開平６−１５４２１４号公報
【０００４】
【発明が解決しようとする課題】
上記従来の超音波振動子駆動回路では、例えば電界効果トランジスタを用いて超音波振動子に印加する駆動電圧が第１の駆動電圧（例えば１２Ｖ）とそれより小さい第２の駆動電圧（例えば９Ｖ）とに切り換えられるような場合でも、ＦＥＴドライバ回路は常に一定の動作電圧で動作していた。
しかし、超音波振動子に第２の駆動電圧を印加するために電界効果トランジスタをドライブする時のＦＥＴドライバ回路の動作電圧は、超音波振動子に第１の駆動電圧を印加するために電界効果トランジスタをドライブする時のＦＥＴドライバ回路の動作電圧よりも低くてよいはずである。従って、ＦＥＴドライバ回路が常に一定の動作電圧で動作しているということは、無駄な電力消費や発熱を生じている問題点がある。
そこで、本発明の目的は、上記のような無駄な電力消費や発熱をなくすことが出来る超音波振動子駆動回路および超音波診断装置を提供することにある。
【０００５】
【課題を解決するための手段】
第１の観点では、本発明は、電界効果トランジスタを用いて駆動電圧を超音波振動子に印加する終段回路と、前記電界効果トランジスタをドライブするＦＥＴドライバ回路と、超音波振動子の駆動モードに応じて少なくとも２種類の動作電圧を切り換えて前記ＦＥＴドライバ回路に供給する動作電圧供給回路とを具備したことを特徴とする超音波振動子駆動回路を提供する。
上記第１の観点による超音波振動子駆動回路では、動作電圧供給回路は、超音波振動子の駆動モードに応じて、ＦＥＴドライバ回路に供給する動作電圧を切り換える。これにより、常に高い動作電圧を供給する場合に比べて、ＦＥＴドライバ回路における無駄な電力消費や発熱をなくすことが出来る。
【０００６】
第２の観点では、本発明は、上記構成の超音波振動子駆動回路において、前記動作電圧供給回路は、第１の駆動電圧を超音波振動子に印加する駆動モードのときは第１の動作電圧を供給し、前記第１の駆動電圧より低い第２の駆動電圧を超音波振動子に印加する駆動モードのときは前記第１の動作電圧より小さい第２の動作電圧を供給することを特徴とする超音波振動子駆動回路を提供する。
超音波振動子に比較的低い駆動電圧を印加するために電界効果トランジスタをドライブする時のＦＥＴドライバ回路の動作電圧は、超音波振動子に比較的高い駆動電圧を印加するために電界効果トランジスタをドライブする時のＦＥＴドライバ回路の動作電圧よりも低くてよい。
そこで、上記第２の観点による超音波振動子駆動回路では、動作電圧供給回路は、超音波振動子に印加する駆動電圧の切り換えに応じて、ＦＥＴドライバ回路に供給する動作電圧を切り換える。これにより、常に高い動作電圧を供給する場合に比べて、ＦＥＴドライバ回路における無駄な電力消費や発熱をなくすことが出来る。
【０００７】
第３の観点では、本発明は、上記構成の超音波振動子駆動回路において、前記動作電圧供給回路は、パルスドプラにかかる駆動モードのときは第１の動作電圧を供給し、連続波ドプラにかかる駆動モードのときは前記第１の動作電圧より小さい第２の動作電圧を供給することを特徴とする超音波振動子駆動回路を提供する。
超音波振動子の発熱／放熱と送信パワーのバランスの観点から、連続波ドプラにかかる駆動モードのときに超音波振動子に印加する駆動電圧は、パルスドプラにかかる駆動モードのときに超音波振動子に印加する駆動電圧より低い。そして、超音波振動子に比較的低い駆動電圧を印加するために電界効果トランジスタをドライブする時のＦＥＴドライバ回路の動作電圧は、超音波振動子に比較的高い駆動電圧を印加するために電界効果トランジスタをドライブする時のＦＥＴドライバ回路の動作電圧よりも低くてよい。
そこで、上記第３の観点による超音波振動子駆動回路では、駆動電圧供給回路は、パルスドプラにかかる駆動モードと連続波ドプラにかかる駆動モードの切り換えに応じて、ＦＥＴドライバ回路に供給する動作電圧を切り換える。これにより、常に高い動作電圧を供給する場合に比べて、ＦＥＴドライバ回路における無駄な電力消費や発熱をなくすことが出来る。
【０００８】
第４の観点では、本発明は、上記構成の超音波振動子駆動回路において、前記動作電圧供給回路は、第１のパルス繰返し周波数を用いた駆動モードのときは第１の動作電圧を供給し、前記第１のパルス繰返し周波数より高い第２のパルス繰返し周波数を用いた駆動モードのときは前記第１の動作電圧より小さい第２の動作電圧を供給することを特徴とする超音波振動子駆動回路を提供する。
超音波振動子の発熱／放熱と送信パワーのバランスの観点から、パルス繰り返し周波数が高い駆動モードのときに超音波振動子に印加する駆動電圧は、パルス繰り返し周波数が低い駆動モードのときに超音波振動子に印加する駆動電圧より低い。そして、超音波振動子に比較的低い駆動電圧を印加するために電界効果トランジスタをドライブする時のＦＥＴドライバ回路の動作電圧は、超音波振動子に比較的高い駆動電圧を印加するために電界効果トランジスタをドライブする時のＦＥＴドライバ回路の動作電圧よりも低くてよい。
そこで、上記第４の観点による超音波振動子駆動回路では、駆動電圧供給回路は、パルスドプラにかかる駆動モードと連続波ドプラにかかる駆動モードの切り換えに応じて、ＦＥＴドライバ回路に供給する動作電圧を切り換える。これにより、常に高い動作電圧を供給する場合に比べて、ＦＥＴドライバ回路における無駄な電力消費や発熱をなくすことが出来る。
【０００９】
第５の観点では、本発明は、上記構成の超音波振動子駆動回路において、前記動作電圧供給回路は、第１のバースト（ｂｕｒｓｔ）数を用いた駆動モードのときは第１の動作電圧を供給し、前記第１のバースト数より多い第２のバースト数を用いた駆動モードのときは前記第１の動作電圧より小さい第２の動作電圧を供給することを特徴とする超音波振動子駆動回路を提供する。
超音波振動子の発熱／放熱と送信パワーのバランスの観点から、バースト数が多い駆動モードのときに超音波振動子に印加する駆動電圧は、バースト数が少ない駆動モードのときに超音波振動子に印加する駆動電圧より低い。そして、超音波振動子に比較的低い駆動電圧を印加するために電界効果トランジスタをドライブする時のＦＥＴドライバ回路の動作電圧は、超音波振動子に比較的高い駆動電圧を印加するために電界効果トランジスタをドライブする時のＦＥＴドライバ回路の動作電圧よりも低くてよい。
そこで、上記第５の観点による超音波振動子駆動回路では、駆動電圧供給回路は、バースト数に応じて、ＦＥＴドライバ回路に供給する動作電圧を切り換える。これにより、常に高い動作電圧を供給する場合に比べて、ＦＥＴドライバ回路における無駄な電力消費や発熱をなくすことが出来る。
【００１０】
第６の観点では、本発明は、上記構成の超音波振動子駆動回路において、前記動作電圧供給回路は、プログラマブル電源であることを特徴とする超音波振動子駆動回路を提供する。
上記第６の観点による超音波振動子駆動回路では、プログラマブル電源を用いることにより動作電圧を容易に切り換えることが出来る。また、３種類以上の動作電圧とすることも容易になる。
【００１１】
第７の観点では、本発明は、上記構成の超音波振動子駆動回路において、前記動作電圧供給回路は、超音波の送信タイミングに同期したクロックでスイッチング動作するスイッチング電源であることを特徴とする超音波振動子駆動回路を提供する。
上記第７の観点による超音波振動子駆動回路では、スイッチングノイズの発生タイミングが送信タイミングに同期出来るため、ノイズに対して敏感なドプラ時において、スイッチングノイズの影響を少なくすることが可能になる。
【００１２】
第８の観点では、本発明は、超音波探触子と、上記構成の超音波振動子駆動回路と、超音波探触子の駆動モードを操作者が直接的または間接的に設定するための入力操作手段と、前記超音波探触子でエコー信号を受信し音線信号を出力する受信回路と、前記音線信号を基に超音波画像を生成する画像生成手段と、前記超音波画像を表示する表示手段とを具備したことを特徴とする超音波診断装置を提供する。
上記構成において、駆動モードを直接的に設定するとは例えばパルス繰り返し周波数を入力設定することを言う。また、駆動モードを間接的に設定するとは例えばパルスドプラとするか連続波ドプラとするかを入力設定することを言う。
上記第８の観点による超音波診断装置では、上記構成の超音波振動子駆動回路を備えているため、ＦＥＴドライバ回路における無駄な電力消費や発熱をなくすことが出来る。
【００１３】
【発明の実施の形態】
以下、図に示す実施の形態により本発明を詳細に説明する。なお、これにより本発明が限定されるものではない。
【００１４】
−第１の実施形態−
図１は、第１の実施形態に係る超音波診断装置を示す構成図である。
この超音波診断装置１００は、多数の超音波振動子Ｅが内設され且つそれらにより超音波を被検体内へ送信すると共に該被検体内からエコーを受信する超音波探触子１と、エコーから音線信号を生成し出力する受信部３１と、音線信号を基に超音波画像を生成する画像生成部３２と、超音波画像を表示する表示部３３と、超音波を送信するために超音波振動子Ｅを駆動する超音波振動子駆動回路１０と、超音波振動子駆動回路１０へ送信信号を入力する送波部２１と、全体を制御する制御部２２と、超音波振動子Ｅの駆動モードを操作者が直接的または間接的に制御部２２に入力設定するための入力部２３とを具備して構成されている。
【００１５】
超音波振動子駆動回路１０は、電界効果トランジスタを介して駆動電圧を超音波振動子Ｅに印加する終段回路１４と、終段回路１４の電界効果トランジスタをドライブするＦＥＴドライバ回路１３と、終段回路１４へ駆動電圧を供給する駆動電圧供給回路１２と、ＦＥＴドライバ回路１３に動作電圧を供給する動作電圧供給回路１１とを含んでいる。
【００１６】
図２は、第１の実施形態にかかる終段回路１４とＦＥＴドライバ回路１３を示す回路図である。
終段回路１４は、駆動電圧供給回路１２から供給される正駆動電圧＋ＶＨを電界効果トランジスタＱ１を介して超音波探触子Ｅに印加し、駆動電圧供給回路１２から供給される負駆動電圧−ＶＨを電界効果トランジスタＱ２を介して超音波探触子Ｅに印加する。
ＦＥＴドライバ回路１３は、動作電圧供給回路１１から供給される動作電圧ＶＤで動作するドライバＴ１により送波部２１からの送波信号に基づいて電界効果トランジスタＱ１をオン／オフし、動作電圧供給回路１１から供給される動作電圧ＶＤで動作するドライバＴ２により送波部２１からの送波信号に基づいて電界効果トランジスタＱ２をオン／オフする。
【００１７】
図３は、第１の実施形態にかかる動作電圧供給回路１１を示す回路図である。
この動作電圧供給回路１１は、送波部２１から入力される同期クロックに同期してスイッチングし動作電圧ＶＤを出力するスイッチング電源（スイッチング・レギュレータ）Ｔ２１と、動作電圧ＶＤを分圧してスイッチング電源Ｔ２１に帰還する帰還回路Ｆ２０とを具備している。帰還回路Ｆ２０の分圧比は、制御部２２によりスイッチＳＷ２１をオン／オフすることで切り換えられる。
【００１８】
すなわち、制御部２２は、次の条件のいずれかでスイッチＳＷ２１をオン／オフする。
（１）第１の駆動電圧ＶＨ１（例えば１２Ｖ）を超音波振動子Ｅに印加する駆動モードのときは、スイッチＳＷ２１をオンとする。これにより、動作電圧ＶＤは比較的高くなる（例えば１０Ｖ）。第１の駆動電圧より低い第２の駆動電圧（例えば９Ｖ）を超音波振動子Ｅに印加する駆動モードのときは、スイッチＳＷ２１をオフとする。これにより、動作電圧ＶＤは比較的低くなる（例えば８Ｖ）。
（２）パルスドプラにかかる駆動モードのときは、スイッチＳＷ２１をオンとする。これにより、動作電圧ＶＤは比較的高くなる（例えば１０Ｖ）。連続波ドプラにかかる駆動モードのときは、スイッチＳＷ２１をオフとする。これにより、動作電圧ＶＤは比較的低くなる（例えば８Ｖ）。
（３）第１のパルス繰返し周波数（例えば３ｋＨｚ）を用いた駆動モードのときは、スイッチＳＷ２１をオンとする。これにより、動作電圧ＶＤは比較的高くなる（例えば１０Ｖ）。第２のパルス繰返し周波数（例えば４ｋＨｚ）を用いた駆動モードのときは、スイッチＳＷ２１をオフとする。これにより、動作電圧ＶＤは比較的低くなる（例えば８Ｖ）。
（４）第１のバースト数（例えば１）を用いた駆動モードのときは、スイッチＳＷ２１をオンとする。これにより、動作電圧ＶＤは比較的高くなる（例えば１０Ｖ）。第２のバースト数（例えば４）を用いた駆動モードのときは、スイッチＳＷ２１をオフとする。これにより、動作電圧ＶＤは比較的低くなる（例えば８Ｖ）。
【００１９】
−第２の実施形態−
図４は、第２の実施形態にかかる動作電圧供給回路１１を示す回路図である。この第２の実施形態にかかる動作電圧供給回路１１を、第１の実施形態にかかる動作電圧供給回路１１の代わりに用いてもよい。
この動作電圧供給回路１１は、動作電圧ＶＤを出力するシリーズ電源（シリーズ・レギュレータ）Ｔ３１と、動作電圧ＶＤを分圧してシリーズ電源Ｔ３１に帰還する帰還回路Ｆ３０とを具備している。帰還回路Ｆ３０の分圧比は、制御部２２によりスイッチＳＷ３１をオン／オフすることで切り換えられる。
【００２０】
制御部２２は、第１の実施形態と同じ条件でスイッチＳＷ３１をオン／オフする。
【００２１】
−第３の実施形態−
図５は、第３の実施形態にかかる終段回路１４とＦＥＴドライバ回路１３を示す回路図である。
終段回路１４は、駆動電圧供給回路１２から供給される正駆動電圧＋ＶＨによるコンデンサＣ１１の充放電電流を電界効果トランジスタＱ１を用いてトランスＩの一次側に流すと共に駆動電圧供給回路１２から供給される正駆動電圧＋ＶＨによるコンデンサＣ１２の充放電電流を電界効果トランジスタＱ２を用いてトランスＩの一次側に流し、トランスＩの二次側に駆動電圧を発生させて超音波振動子Ｅに印加する。
ＦＥＴドライバ回路１３は、動作電圧供給回路１１から供給される動作電圧ＶＤで動作するドライバＴ１１により電界効果トランジスタＱ１１をドライブすると共に動作電圧供給回路１１から供給される動作電圧ＶＤで動作するドライバＴ１２により電界効果トランジスタＱ１２をドライブする。ドライバＴ１１へは、送波部２１からの送波信号に基づいてＤＡコンバータＡ１１が出力する電圧が基準電圧として入力されると共に電界効果トランジスタＱ１１からの帰還電圧が入力されている。また、ドライバＴ１２へは、送波部２１からの送波信号に基づいてＤＡコンバータＡ１２が出力する電圧が基準電圧として入力されると共に電界効果トランジスタＱ１２からの帰還電圧が入力されている。従って、送波部２１からの送波信号によりＤＡコンバータＡ１１，Ａ１２が出力する電圧を変えることで、超音波振動子Ｅに印加する駆動電圧を変えることが出来る。
【００２２】
図６は、第３の実施形態にかかる動作電圧供給回路１１を示す回路図である。
この動作電圧供給回路１１は、送波部２１から入力される同期クロックに同期してスイッチングし動作電圧ＶＤを出力するスイッチング電源（スイッチング・レギュレータ）Ｔ５１と、動作電圧ＶＤを分圧してスイッチング電源Ｔ５１に帰還する帰還回路Ｆ５０と、基準電圧をスイッチング電源Ｔ５１に入力するＤＡコンバータＡ５１とを具備している。従って、制御部２２からの制御信号によりＤＡコンバータＡ５１が出力する基準電圧を変えることで、ＦＥＴドライバ回路１３に供給する動作電圧ＶＤを変えることが出来る。
【００２３】
すなわち、制御部２２は、次の条件のいずれかで少なくとも２種類の動作電圧を切り換える。
（１）第１の駆動電圧ＶＨ１（例えば１２Ｖ）を超音波振動子Ｅに印加する駆動モードのときは、ＤＡコンバータＡ５１の出力電圧を比較的高くする。これにより、動作電圧ＶＤは比較的高くなる（例えば１０Ｖ）。第１の駆動電圧より低い第２の駆動電圧（例えば９Ｖ）を超音波振動子Ｅに印加する駆動モードのときは、ＤＡコンバータＡ５１の出力電圧を比較的低くする。これにより、動作電圧ＶＤは比較的低くなる（例えば８Ｖ）。
（２）パルスドプラにかかる駆動モードのときは、ＤＡコンバータＡ５１の出力電圧を比較的高くする。これにより、動作電圧ＶＤは比較的高くなる（例えば１０Ｖ）。連続波ドプラにかかる駆動モードのときは、ＤＡコンバータＡ５１の出力電圧を比較的低くする。これにより、動作電圧ＶＤは比較的低くなる（例えば８Ｖ）。
（３）第１のパルス繰返し周波数（例えば３ｋＨｚ）を用いた駆動モードのときは、ＤＡコンバータＡ５１の出力電圧を比較的高くする。これにより、動作電圧ＶＤは比較的高くなる（例えば１０Ｖ）。第２のパルス繰返し周波数（例えば４ｋＨｚ）を用いた駆動モードのときは、ＤＡコンバータＡ５１の出力電圧を比較的低くする。これにより、動作電圧ＶＤは比較的低くなる（例えば８Ｖ）。
（４）第１のバースト数（例えば１）を用いた駆動モードのときは、ＤＡコンバータＡ５１の出力電圧を比較的高くする。これにより、動作電圧ＶＤは比較的高くなる（例えば１０Ｖ）。第２のバースト数（例えば４）を用いた駆動モードのときは、ＤＡコンバータＡ５１の出力電圧を比較的低くする。これにより、動作電圧ＶＤは比較的低くなる（例えば８Ｖ）。
【００２４】
なお、上記条件に準じて３種類以上の動作電圧を切り換えることも可能である。
【００２５】
−第４の実施形態−
図７は、第４の実施形態にかかる動作電圧供給回路１１を示す回路図である。この第４の実施形態にかかる動作電圧供給回路１１を、第３の実施形態にかかる動作電圧供給回路１１の代わりに用いてもよい。
この動作電圧供給回路１１は、動作電圧ＶＤを出力するシリーズ電源（シリーズ・レギュレータ）Ｔ６１と、動作電圧ＶＤを分圧してシリーズ電源Ｔ６１に帰還する帰還回路Ｆ６０と、基準電圧をスイッチング電源Ｔ６１に入力するＤＡコンバータＡ６１とを具備している。従って、制御部２２からの制御信号によりＤＡコンバータＡ６１が出力する基準電圧を変えることで、ＦＥＴドライバ回路１３に供給する動作電圧ＶＤを変えることが出来る。
【００２６】
制御部２２は、第３の実施形態と同じ条件でコンバータＡ６１が出力する基準電圧を切り換える。
【００２７】
−第５の実施形態−
図８は、第５の実施形態にかかる動作電圧供給回路１１を示す回路図である。この第５の実施形態にかかる動作電圧供給回路１１を、第３の実施形態にかかる動作電圧供給回路１１の代わりに用いてもよい。
この動作電圧供給回路１１は、プログラマブル電源であり、動作電圧ＶＤを出力するシリーズ電源（シリーズ・レギュレータ）Ｔ４１と、動作電圧ＶＤを分圧してシリーズ電源Ｔ４１に帰還する帰還回路Ｆ４０とを具備している。帰還回路Ｆ４０は、分圧比を多段階に切り換えられる例えばラダー抵抗回路である。従って、制御部２２からの制御信号によりスイッチ切替部４２でスイッチＳＷ４１〜ＳＷ４ｎをオン／オフして分圧比を多段階に変えることにより、帰還電圧を多段階に変えることが出来る。すなわち、ＦＥＴドライバ回路１３に供給する動作電圧ＶＤを多段階に変えることが出来る。
【００２８】
制御部２２は、第３の実施形態と同様の条件で帰還回路Ｆ４０が出力する帰還電圧を切り換える。
【００２９】
【発明の効果】
本発明の超音波振動子駆動回路および超音波診断装置によれば、超音波振動子の駆動モードに応じて、ＦＥＴドライバ回路に供給する動作電圧を切り換えるため、常に高い動作電圧を供給する場合に比べて、ＦＥＴドライバ回路における無駄な電力消費や発熱をなくすことが出来る。
【図面の簡単な説明】
【図１】第１の実施形態に係る超音波診断装置を示す構成図である。
【図２】第１の実施形態にかかる終段回路とＦＥＴドライバ回路を示す回路図である。
【図３】第１の実施形態にかかる動作電圧供給回路を示す回路図である。
【図４】第２の実施形態にかかる動作電圧供給回路を示す回路図である。
【図５】第３の実施形態にかかる終段回路とＦＥＴドライバ回路を示す回路図である。
【図６】第３の実施形態にかかる動作電圧供給回路を示す回路図である。
【図７】第４の実施形態にかかる動作電圧供給回路を示す回路図である。
【図８】第５の実施形態にかかる動作電圧供給回路を示す回路図である。
【符号の説明】
１          超音波探触子
１０        超音波振動子駆動回路
１１        動作電圧供給回路
１２        駆動電圧供給回路
１３        ＦＥＴドライバ回路
１４        終段回路
２１        送波部
２２        制御部
２３        入力部
３１        受信部
３２        画像生成部
３３        表示部
１００      超音波診断装置
ＶＤ        動作電圧
ＶＨ        駆動電圧
Ｑ１，Ｑ２，Ｑ１１，Ｑ１２      電界効果トランジスタ
Ｔ１，Ｔ２                      ドライバ
Ｔ２１，Ｔ５１                  スイッチング電源
Ｔ３１，Ｔ４１，Ｔ６１          シリーズ電源
【図１】
2004358133.tif 000003
【図２】
2004358133.tif 000004
【図３】
2004358133.tif 000005
【図４】
2004358133.tif 000006
【図５】
2004358133.tif 000007
【図６】
2004358133.tif 000008
【図７】
2004358133.tif 000009
【図８】
2004358133.tif 000010